(57)【要約】      （修正有）【課題】エレベーターの保守点検作業において、作業効率を低下させず、保守点検作業を行う保守員の安全を適正に管理する。【解決手段】エレベーター２１０の点検を行う保守員２５０を管理する保守員管理装置３３０は、保守員携帯端末２３０から送信された動態により特定される保守員２５０の最新の状態に応じて、安否確認時刻を決定する保守員状態管理部３３４と、保守員２５０の安否確認処理を行う安否確認部３３５と、を備え、安否確認部３３５は、安否確認時刻が到来しても、点検中である場合、自動的に安否確認時刻を延長し、初回および２回目の延長時は、管理者に自動延長連絡を行い、２回目の延長時は、保守員２５０が連絡可能な作業位置で作業を行っている場合、さらに、保守員２５０にも自動延長連絡を行う。【選択図】図１
2019055827.tif 000002
【特許請求の範囲】
【請求項１】
エレベーターと、前記エレベーターの点検を行う保守員が携帯する保守員携帯端末と、当該保守員を管理する保守員管理装置とを備えるエレベーター監視システムであって、
前記保守員携帯端末は、前記保守員が設定した動態を前記保守員管理装置に送信し、
前記保守員管理装置は、
前記保守員携帯端末から送信された動態により特定される前記保守員の最新の状態に応じて、安否確認時刻を決定する保守員状態管理部と、
前記保守員の安否確認処理を行う安否確認部と、を備え、
前記安否確認部は、前記安否確認時刻が到来しても、前記保守員が前記エレベーターを点検中である場合、自動的に前記安否確認時刻を延長し、初回および２回目の延長時は、管理者に前記安否確認時刻の延長の連絡である自動延長連絡を行い、２回目の延長時は、前記保守員が連絡可能な作業位置で作業を行っている場合、さらに、前記保守員にも前記自動延長連絡を行うこと
を特徴とするエレベーター監視システム。
【請求項２】
請求項１記載のエレベーター監視システムであって、
前記保守員管理装置は、複数の保守員を管理し、
前記保守員状態管理部は、前記複数の保守員それぞれの現在位置を管理し、
前記安否確認部は、自動的に２回延長した後の前記安否確認時刻が到来しても、前記エレベーターの保守員が当該エレベーターを点検中である場合、前記管理者および当該保守員に安否確認連絡を行うとともに、前記複数の保守員それぞれの現在位置を用いて、現在位置が、前記エレベーターの保守員の現在位置から所定の範囲内の保守員である近隣保守員の有無を判別し、当該近隣保守員が有りの場合は、当該近隣保守員にも前記安否確認連絡を行うこと
を特徴とするエレベーター監視システム。
【請求項３】
請求項１または２記載のエレベーター監視システムであって、
前記エレベーターの状態を示すエレベーター状態情報を当該エレベーターから受信し、前記保守員管理装置に送信するエレベーター状態監視装置をさらに備え、
前記エレベーターは、
当該エレベーターの保守員が乗りかごの上で作業する際に投入されるかご上スイッチと、
当該保守員がピット内で作業する際に投入されるピットスイッチと、
前記かご上スイッチおよび前記ピットスイッチの投入状態を含む前記エレベーター状態情報を前記エレベーター状態監視装置に送信する遠隔監視装置と、を備え、
前記安否確認部は、前記エレベーター状態情報の前記投入状態が、前記かご上スイッチおよび前記ピットスイッチのいずれも投入されていないことを示す場合、前記保守員が連絡可能な作業位置で作業を行っていると判別すること
を特徴とするエレベーター監視システム。
【請求項４】
請求項３記載のエレベーター監視システムであって、
前記エレベーターは、さらに、前記保守員が作業中に投入する作業スイッチを備え、
エレベーター状態情報は、さらに、前記作業スイッチの投入状態を含み、
前記安否確認部は、前記作業スイッチの投入状態が、投入されていることを示す場合、前記点検中であると判別すること
を特徴とするエレベーター監視システム。
【請求項５】
エレベーターの保守員が携帯する保守員携帯端末から送信された動態により特定される前記保守員の現在の状態に応じて、安否確認時刻を決定する保守員状態管理部と、
前記保守員の安否確認処理を行う安否確認部と、を備え、
前記安否確認部は、前記安否確認時刻が到来しても、前記保守員が前記エレベーターを点検中である場合、自動的に前記安否確認時刻を延長し、初回および２回目の延長時は、管理者に前記安否確認時刻の延長の連絡である自動延長連絡を行い、２回目の延長時は、前記保守員が連絡可能な作業位置で作業を行っている場合、さらに、前記保守員にも前記自動延長連絡を行うこと
を特徴とする保守員管理装置。
【発明の詳細な説明】
【技術分野】
【０００１】
本発明は、エレベーターの保守員が現場で作業する際の安否確認技術に関する。
【背景技術】
【０００２】
保守点検作業の安否確認時刻の延長を自動化して作業効率を向上させる技術がある。例えば、特許文献１には、「エレベーターの動作を監視すると共に保守点検作業時にオンに設定される作業スイッチと作業スイッチがオンである時間即ち保守点検作業時間を計測するタイマとを有する通信制御装置に、タイマリセット回路を設ける。タイマによる計測時間が所定の監視時間内である場合にエレベーター制御装置からのエレベーターの走行開始信号を検出したときにタイマリセット回路によりタイマによる計測を初期化して初期値から計測し直す（要約抜粋）」技術が開示されている。
【先行技術文献】
【特許文献】
【０００３】
【特許文献１】特開平０６−０１６３５４号公報
【発明の概要】
【発明が解決しようとする課題】
【０００４】
しかしながら、特許文献１に開示の技術では、作業スイッチがオンの状態で、エレベーターが走行を開始した信号が検出されると、保守点検作業が適正に行われていると判断して、安否確認時刻が自動的に延長され続ける。自動的に延長されるため、作業効率はよい。しかし、異常が発生した場合であっても、作業スイッチがオフされない限り、延長され続ける。また、延長されたことが管理者に通知されないため、管理者は、それを知ることができない。従って、保守員の安否に異常が発生した場合であっても、延長され続けるとともに、管理者がその状況を把握できないため、適正な保守作業員の安全管理ができない。
【０００５】
本発明は、上記事情に鑑みてなされたもので、エレベーターの保守点検作業において、作業効率を低下させず、保守点検作業を行う保守員の安全を適正に管理可能な安全確認技術を提供することを目的とする。
【課題を解決するための手段】
【０００６】
本発明は、エレベーターと、前記エレベーターの点検を行う保守員が携帯する保守員携帯端末と、当該保守員を管理する保守員管理装置とを備えるエレベーター監視システムであって、前記保守員携帯端末は、前記保守員が設定した動態を前記保守員管理装置に送信し、前記保守員管理装置は、前記保守員携帯端末から送信された動態により特定される前記保守員の最新の状態に応じて、安否確認時刻を決定する保守員状態管理部と、前記保守員の安否確認処理を行う安否確認部と、を備え、前記安否確認部は、前記安否確認時刻が到来しても、前記保守員が前記エレベーターを点検中である場合、自動的に前記安否確認時刻を延長し、初回および２回目の延長時は、管理者に前記安否確認時刻の延長の連絡である自動延長連絡を行い、２回目の延長時は、前記保守員が連絡可能な作業位置で作業を行っている場合、さらに、前記保守員にも前記自動延長連絡を行うことを特徴とするエレベーター監視システムを提供する。
【発明の効果】
【０００７】
本発明によれば、エレベーターの保守点検作業において、作業効率を低下させず、保守点検作業を行う保守員の安全を適正に管理できる。なお、上述した以外の課題、構成および効果は、以下の実施形態の説明により明らかにされる。
【図面の簡単な説明】
【０００８】
【図１】本発明の実施形態のエレベーター監視システムの全体図である。
【図２】本発明の実施形態の各装置のハードウエア構成を説明するための説明図である。
【図３】本発明の実施形態の作業予定データベースに登録されるレコード例を説明するための説明図である。
【図４】（ａ）は、本発明の実施形態の動態設定画面例を、（ｂ）は、同帰着予定設定画面例を、（ｃ）は、同動態データ例を、それぞれ、説明するための説明図である。
【図５】本発明の実施形態の動態履歴データベースに登録されるレコード例を説明するための説明図である。
【図６】本発明の実施形態の保守員状態データ例を説明するための説明図である。
【図７】本発明の実施形態の動態設定受付処理のフローチャートである。
【図８】本発明の実施形態の保守員状態管理処理のフローチャートである。
【図９】本発明の実施形態の安否確認処理のフローチャートである。
【発明を実施するための形態】
【０００９】
以下、本発明の実施形態について、図面を用いて説明する。本明細書において、同一機能を有するものは、特に断らない限り同一の符号を付し、繰り返しの説明は省略する。なお、この実施形態によりこの発明が限定されるものではない。また、下記実施形態における構成要素には、当業者が置換可能かつ容易なもの、あるいは、実質的に同一のものが含まれる。
【００１０】
一般に、エレベーターの保守点検作業においては、点検対象のエレベーターが設置される現場毎に、点検に係る概略時間（作業期間）が設定される。監視センタでは、作業期間に所定の時間を加え、安否確認時刻を設定する。そして、安否確認時刻までに点検終了の連絡を受けないと、安否確認を行う。しかしながら、作業期間を越えて作業を実施せざるを得ない場合もある。
【００１１】
本実施形態では、安否確認時刻が来ても、点検終了の連絡がない場合、状況に応じて、２回まで、安否確認時刻の延長を自動的に繰り返す。そして、１回目は、管理者にのみ、延長したことを連絡する。２回目は、作業状況に応じて、保守作業員（以下、保守員と呼ぶ）にも連絡する。そして、その後、安否確認時刻が到来しても点検終了の連絡がない場合は、管理者と保守員に加え、近隣の現場に保守員がいれば、当該保守員（近隣保守員）にも連絡する。
【００１２】
これを実現する本実施形態のエレベーター監視システムについて、以下説明する。まず、本実施形態のエレベーター監視システムの全体構成を説明する。図１は、本実施形態のエレベーター監視システム１００の全体図である。
【００１３】
本図に示すように、本実施形態のエレベーター監視システム１００は、エレベーター２１０と、保守員携帯端末２３０と、監視センタサーバ３００と、営業所３５１配置される情報処理装置（営業所ＰＣ）３５０と、を備える。各構成は、公衆回線網１０１を介して接続される。
【００１４】
なお、営業所ＰＣ３５０は、図１に示すように、監視センタサーバ３００に直接接続されていてもよい。また、図１では、保守員携帯端末２３０およびエレベーター２１０は、それぞれ１つ備える場合を例示するが、これらの数は、これに限定されない。
【００１５】
［エレベーター］
エレベーター２１０は、現場２０１に配置される。エレベーター２１０は、乗りかご２１１と、エレベーター制御装置２１２と、遠隔監視装置２１３と、ピットスイッチ２１４と、かご上スイッチ２１５と、作業スイッチ２１６と、を備える。
【００１６】
乗りかご２１１は、建物内に設けられた昇降路内を昇降する。一端が乗りかご２１１に取り付けられ、他端が釣合錘に取り付けられた主ロープが巻きかけられた巻上機を回転させることにより、乗りかご２１１は、昇降する。
【００１７】
エレベーター制御装置２１２は、乗りかご２１１の運転の制御を行う。具体的には、巻上機を回転させるモータと、回転を制動するブレーキ装置とを制御する。エレベーター制御装置２１２は、例えば、建物内で乗りかご２１１が上下する昇降路の上等に配置される機械室内等に配置される。
【００１８】
遠隔監視装置２１３は、エレベーター制御装置２１２に接続され、乗りかご２１１の監視を行う。また、遠隔監視装置２１３は、通信装置を備え、公衆回線網１０１経由で監視センタサーバ３００に接続され、データの送受信を行う。遠隔監視装置２１３も、例えば、上述の機械室内等に配置される。
【００１９】
ピットスイッチ２１４は、保守作業員がビットに入る場合に投入するスイッチである。また、かご上スイッチ２１５は、保守作業員が乗りかご２１１の上に乗る場合に投入するスイッチである。作業スイッチ２１６は、保守員２５０が、点検作業を行う際に投入するスイッチである。作業スイッチ２１６は、例えば、停止スイッチ、保守スイッチ等であり、乗りかご２１１内に配置される操作盤に設けられる。
【００２０】
本実施形態では、作業スイッチ２１６のＯＮ、ＯＦＦで、点検開始、点検終了を判別する。すなわち、作業スイッチ２１６がＯＮされた場合、点検が開始されたものと判断し、ＯＦＦされた場合、点検が終了したものと判断する。また、ピットスイッチ２１４およびかご上スイッチ２１５のＯｎ，ＯＦＦにより、保守員２５０の作業位置を判別する。
【００２１】
ピットスイッチ２１４、かご上スイッチ２１５および作業スイッチ２１６のＯＮ／ＯＦＦ状態は、エレベーター状態を示す情報（以下、エレベーター状態情報と呼ぶ。）の１つとして、エレベーター制御装置２１２に出力される。エレベーター制御装置２１２は、エレベーター状態情報を保持するとともに、監視センタサーバ３００からの要求に応じて、あるいは、所定の時間間隔で、遠隔監視装置２１３を介して監視センタサーバ３００に送信する。
【００２２】
エレベーター制御装置２１２および遠隔監視装置２１３は、図２に示すように、ＣＰＵ１３１とメモリ１３２と記憶装置１３３と通信インタフェース（Ｉ／Ｆ）１３４と、入出力Ｉ／Ｆ１３５と、を備える情報処理装置で実現される。本装置では、ＣＰＵ１３１が記憶装置１３３に格納されたプログラムを、メモリ１３２にロードして実行することにより、上記機能を実現する。各スイッチは、入出力Ｉ／Ｆ１３５として機能する。また、通信Ｉ／Ｆ１３４により公衆回線網１０１を介した他装置とのデータの送受信を実現する。
【００２３】
なお、エレベーター制御装置２１２と遠隔監視装置２１３とは、それぞれ独立してＣＰＵ１３１等の各構成を備えてもよいし、１組のＣＰＵ等の各構成を両装置で兼用してもよい。
【００２４】
また、本実施形態では、１つの乗りかご２１１に対し、１つのエレベーター制御装置２１２および遠隔監視装置２１３を備える場合を例にあげて説明するが、これに限定されない。例えば、１つのエレベーター制御装置２１２および遠隔監視装置２１３の組が、複数の乗りかご２１１に対し設けられ、制御、監視を行うよう構成されていてもよい。
【００２５】
［保守員携帯端末］
保守員携帯端末２３０は、通信機能を有する情報処理装置であり、保守員２５０が保守作業時等に携帯する。保守員携帯端末２３０は、公衆回線網１０１を介して監視センタサーバ３００とデータの送受信を行う。また、ＧＰＳ受信器等を備え、自身の現在位置情報を取得する機能を有する。
【００２６】
保守員携帯端末２３０は、保守員２５０に作業予定を提示する。また、保守員２５０から各種の設定、登録を受け付ける。また、外部とデータの送受信を行う。これらの各処理を実現するため、本実施形態の保守員携帯端末２３０は、表示部２３１と、設定部２３２と、送受信部２３３と、位置情報取得部２３４と、を備える。
【００２７】
送受信部２３３は、公衆回線網１０１を介して監視センタサーバ３００とデータの送受信を行う。
【００２８】
表示部２３１は、保守員携帯端末２３０で処理したデータ、送受信部を介して受信したデータ等を表示する。本実施形態では、保守員２５０の作業予定や外部装置から受信したメール等を表示する。作業予定は、送受信部２３３を介して監視センタサーバ３００から受信する。作業予定の詳細は、後述する。
【００２９】
設定部２３２は、保守員携帯端末２３０を保持する保守員の２５０から、各種の入力を受け付ける。本実施形態では、例えば、動態の設定を受け付ける。設定される動態は、例えば、作業前、入館中、終了等の予め定めた保守作業の各イベント情報である。新たな動態の設定を受け付けると、送受信部２３３を介して、動態データとして監視センタサーバ３００に出力する。設定される動態等の詳細は、後述する。
【００３０】
位置情報取得部２３４は、保守員携帯端末２３０の、現在位置情報を取得する。位置情報は。例えば、ＧＰＳ等の測距衛星の電波を用いて取得する。
【００３１】
保守員携帯端末２３０も、上記エレベーター制御装置２１２同様、ＣＰＵ１３１とメモリ１３２と記憶装置１３３と通信Ｉ／Ｆ１３４と入出力Ｉ／Ｆ１３５とを備える。そして、ＣＰＵ１３１が記憶装置１３３に保持されたプログラムをメモリ１３２にロードして実行することにより、上記機能を実現する。設定部２３２は、入出力Ｉ／Ｆ１３５により、送受信部２３３は、通信Ｉ／Ｆ１３４により、それぞれ実現される。また、保守員携帯端末２３０は、ＧＰＳアンテナ等をさらに備える。
【００３２】
［監視センタサーバ］
監視センタサーバ３００は、監視センタ３０１に配置され、エレベーターの状態の監視、保守作業員の作業状態の監視等を行う。これらを実現するため、本実施形態の監視センタサーバ３００は、エレベーター状態監視装置３１０と、保守員管理装置３３０と、を備える。
【００３３】
監視センタサーバ３００も、エレベーター制御装置２１２同様、図２に示すように、ＣＰＵ１３１とメモリ１３２と記憶装置１３３と通信Ｉ／Ｆ１３４と入出力Ｉ／Ｆ１３５とを備える情報処理装置により実現される。エレベーター状態監視装置３１０および保守員管理装置３３０は、それぞれ、ＣＰＵ１３１等の構成を備えてもよいし、１組のＣＰＵ１３１等の構成を兼用してもよい。
【００３４】
［エレベーター状態監視装置］
エレベーター状態監視装置３１０は、エレベーター２１０の状態を監視する。本実施形態では、管理対象のエレベーター２１０からエレベーター状態情報を取得することにより、当該エレベーター２１０の状態を監視する。監視センタサーバ３００が監視対象とするエレベーター２１０が複数ある場合、全てのエレベーター２１０のエレベーター状態を、それぞれ、管理する。
【００３５】
これを実現するため、本実施形態のエレベーター状態監視装置３１０は、送受信部３１１と、エレベーター状態管理部３１２と、を備える。
【００３６】
送受信部３１１は、公衆回線網１０１を介して、エレベーター２１０および保守員携帯端末２３０と、データの送受信を行う。また、保守員管理装置３３０と、有線または無線を介してデータの送受信を行う。
【００３７】
エレベーター状態管理部３１２は、送受信部３１１を介してエレベーター状態情報を取得し、管理する。本実施形態では、取得するエレベーター状態情報は、上述のように、ピットスイッチ２１４、かご上スイッチ２１５および作業スイッチ２１６のＯＮ／ＯＦＦ状態を含む。
【００３８】
なお、本実施形態では、エレベーター状態情報は、定期的にエレベーター２１０から送信されてもよいし、必要に応じてエレベーター状態管理部３１２がエレベーター制御装置２１２にアクセスすることにより取得してもよい。また、取得結果は、自身の記憶装置等に保存する。
【００３９】
［保守員管理装置］
保守員管理装置３３０は、保守員２５０を管理し、必要に応じて安否確認を行う。本実施形態では、保守員２５０が保持する保守員携帯端末２３０から情報を取得し、保守員２５０の動態を管理する。監視センタサーバ３００が管理対象とする保守員が複数の場合は、全ての管理対象の保守員の動態を、それぞれ、管理する。
【００４０】
これを実現するため、本実施形態の保守員管理装置３３０は、送受信部３３１と、作業予定管理部３３２と、動態管理部３３３と、保守員状態管理部３３４と、安否確認部３３５と、を備える。
【００４１】
また、保守員管理装置３３０は、自身の記憶装置に、作業予定情報データベース（ＤＢ）３４２と、動態履歴ＤＢ３４３と、保守員状態データ３４４と、その他のデータ３４５とを保持する。
【００４２】
送受信部３３１は、公衆回線網１０１を介して、エレベーター２１０および保守員携帯端末２３０とデータの送受信を行う。また、営業所ＰＣ３５０およびエレベーター状態監視装置３１０とは、有線または無線を介してデータの送受信を行う。
【００４３】
作業予定管理部３３２は、予め定めた、各保守員２５０の作業予定を管理する。作業予定は、保守員２５０毎の、現場訪問の予定である。本実施形態では、作業予定は、予め作成され、作業予定ＤＢ３４２として管理される。また、作業予定ＤＢ３４２は、保守員２５０毎に作成され、管理される。作業予定ＤＢ３４２の詳細は、後述する。
【００４４】
また、本実施形態の作業予定管理部３３２は、保守員２５０の保守員携帯端末２３０からの要求に応じて、要求元の保守員携帯端末２３０に、要求された保守員２５０の作業予定データを送信する。
【００４５】
動態管理部３３３は、各保守員２５０の動態を管理する。本実施形態では、保守員２５０が、自身の保守員携帯端末２３０を介して設定した動態を、動態データとして受信し、動態履歴ＤＢ３４３に管理する。動態履歴ＤＢ３４３は、保守員２５０毎に作成され、管理される。本実施形態では、新たな動態データを受け付ける毎に、動態に変更がある場合、新たなレコードを作成し、動態履歴ＤＢ３４３に追加する。動態履歴ＤＢ３４３の詳細は後述する。
【００４６】
動態管理部３３３は、各保守員２５０から動態データを得るため、当該保守員２５０の保守員携帯端末２３０からの要求に応じて、動態設定画面４１０および帰着予定設定画面４２０を、送受信部３３１を介して要求元の保守員携帯端末２３０に送信する。そして、それらの画面を介して、保守員２５０から動態データを取得する。各画面の詳細および取得する動態データの詳細は、後述する。
【００４７】
保守員状態管理部３３４は、各保守員２５０の最新の状態を管理する。各保守員２５０の最新の状態は、保守員状態データ３４４として管理される。保守員状態データ３４４は、保守員２５０毎に作成され、新たな動態データを受信する毎に、更新される。保守員状態データ３４４の詳細は、後述する。
【００４８】
保守員状態データ３４４には、安否確認時刻が含まれる。本実施形態の保守員状態管理部３３４は、安否確認時刻の管理も行う。本実施形態では、保守員状態管理部３３４は、保守員携帯端末２３０から送信された動態データにより特定される保守員２５０の最新の状態に応じて、管理する安否確認時刻を決定する。
【００４９】
安否確認部３３５は、安否確認時刻になると、安否確認連絡を行う。本実施形態では、安否確認連絡として、送受信部３３１を介して保守員携帯端末２３０および／または営業所ＰＣ３５０に向けて、安否確認メールを送信する。安否確認メールは、例えば、予め保持する定型メールを用いる。定型メールは、処理に必要な各種のデータを保持するＤＢ３４５に保持される。
【００５０】
また、安否確認部３３５は、安否確認時刻になった場合、条件に応じて自動的に延長する安否確認自動延長処理を行う。延長する期間は、予め定めておく。本実施形態では、動態履歴ＤＢ３４３に格納される保守員２５０の動態、エレベーター状態情報等を用いて、延長を行うか否かを判断する。安否確認自動延長処理の詳細は、後述する。
【００５１】
なお、その他のデータ３４５は、保守員管理装置３３０が処理を行うために必要なデータや、処理途中に生成されるデータ、処理の結果生成されたデータ等である。例えば、保守員２５０が、保守員携帯端末２３０で動態を入力する動態設定画面データ、帰着予定設定画面データ等である。これらの画面データは、保守員２５０からの要求に応じて、要求元の保守員携帯端末２３０に送信される。
【００５２】
［営業所ＰＣ］
営業所ＰＣ３５０は、営業所３５１に配置される情報処理装置である。営業所ＰＣ３５０も、ＣＰＵ１３１、メモリ１３２、記憶装置１３３、通信Ｉ／Ｆ１３４、および、入出力Ｉ／Ｆ１３５等を備え、保守員の状態を提示する。保守員の状態は、通信部を介して保守員管理装置３３０から受信する。
【００５３】
なお、本実施形態では、営業所３５１に滞在し、保守員２５０の状態を管理する担当者を、管理者と呼ぶ。管理者は、営業所ＰＣ３５０を閲覧することにより、保守員２５０の状態を把握する。
【００５４】
本実施形態では、後述するように、安否確認時刻を自動的に延長した場合の連絡や安否確認連絡を、管理者にも行う。管理者に連絡を行うとは、営業所ＰＣ３５０にメール等で通知することを意味する。なお、管理者は、監視センタ３０１に配されてもよい。この場合は、上記連絡を、監視センタサーバ３００に対して行う。
【００５５】
［作業予定ＤＢ］
次に、作業予定管理部３３２が管理する作業予定ＤＢ３４２の詳細を説明する。図３は、本実施形態の作業予定ＤＢ３４２の一例を説明するための図である。
【００５６】
本図に示すように、本実施形態の作業予定ＤＢ３４２に格納される各レコードは、それぞれ、保守員特定情報５１１と、作業予定特定情報５１２と、現場特定情報５１３と、作業時間特定情報５１４と、安否確認時刻情報５１５と、終了／中止フラグ５１６と、を備える。
【００５７】
保守員特定情報５１１は、当該作業を担当する保守員２５０を特定する情報である。例えば、保守員２５０を一意に識別する保守員ＩＤと、保守員２５０の氏名である保守員名と、の少なくとも１つを備える。
【００５８】
作業予定特定情報５１２は、当該作業予定を一意に識別するための情報であり、例えば、予め付与される作業予定ＩＤ等が登録される。
【００５９】
現場特定情報５１３は、作業を行う現場を特定する情報である。例えば、現場を一意に識別可能に付与される現場ＩＤと、現場名との少なくとも一つを備える。
【００６０】
作業時間特定情報５１４は、作業時間を特定する情報である。本実施形態では、作業開始予定時刻と、作業終了予定時刻とが登録される。
【００６１】
安否確認時刻情報５１５は、安否確認時刻である。本実施形態では、各作業について、到着確認のための安否確認時刻と、終了確認のための安否確認時刻とが登録される。例えば、到着確認のための安否確認時刻は、作業開始予定時刻に、終了確認のための安否確認時刻は、作業終了予定時刻に、それぞれ、所定の余裕時間を加え、設定される。
【００６２】
終了／中止フラグ５１６は、当該作業予定が終了した場合、または、中止された場合に設定されるフラグである。本実施形態では、動態設定領域４１２を介して、退館が設定された場合に終了フラグが設定され、中止が設定された場合、中止フラグが設定される。なお、終了フラグと中止フラグとは、それぞれ、別個に設けられてもよい。また、中止の指示により終了／中止フラグ５１６が設定された場合、その後の作業時間特定情報５１４および安否確認時刻情報５１５を変更するよう構成してもよい。
【００６３】
作業予定管理部３３２は、基本的に、予め設定された作業予定ＤＢ３４２を、設定された状態で維持し、他からの要求に応じて提供する。ただし、後述する動態設定画面を介して、動態として退館または中止が登録された動態データを受信すると、終了／中止フラグ５１６を設定する。
【００６４】
［動態設定画面］
次に、保守員携帯端末２３０の表示部に表示される動態設定画面について説明する。動態設定画面は、保守員２５０から、自身の動態を受け付ける画面である。動態設定画面は、保守員携帯端末２３０からの要求に応じ、動態管理部３３３がフォームを作成し、要求元に送信する。そして、動態管理部３３３は、動態設定画面を介して入力（設定）されたデータを受信する。
【００６５】
動態設定画面４１０は、図４（ａ）に示すように、作業予定表示領域４１１と、動態設定領域４１２とを備える。
【００６６】
作業予定表示領域４１１は、要求元の保守員携帯端末２３０のユーザである保守員２５０の、作業予定が表示される領域である。本実施形態では、保守員２５０が１回の巡回保守作業で行う全ての作業予定が表示される。
【００６７】
動態設定領域４１２は、作業予定表示領域４１１に表示される作業予定毎に設けられ、作業予定毎に、保守員２５０の動態の設定を受け付ける領域である。
【００６８】
本実施形態では、保守員２５０の動態として、各作業予定の現場に到着した際に設定を受け付ける入館ボタンと、作業を終了し、当該現場から退出する際に設定を受け付ける退館ボタンと、安否確認時刻の延長指示を受け付ける延長ボタンと、当該作業の中止の指示を受け付ける中止ボタンとを備える。
【００６９】
これらのボタンは、作業予定毎に、それぞれ、設けられる。また、各ボタンは、送信指示も兼ねる。
【００７０】
なお、本実施形態では、延長指示を受け付けると、保守員状態管理部３３４が、自身が管理する最新の安否確認時刻を延長する。延長する期間（増分ΔＴｓ）は、予め定め、記憶装置等に保持しておく。
【００７１】
また、本実施形態では、退館の指示および中止の指示を受け付けると、作業予定管理部３３２が、自身が管理する作業予定ＤＢ３４２の、対応するレコードの終了／中止フラグ５１６を設定する。
【００７２】
また、作業予定毎の上記各ボタンとは別に、各保守員２５０が出発地を出発した際に設定を受け付ける出発ボタンと、帰着先に帰着した際に設定を受け付ける帰着ボタンとを備える。
【００７３】
これらのボタンは、１回の巡回保守作業毎に、それぞれ、１つずつ設けられる。また、各ボタンは、送信指示も兼ねる。
【００７４】
なお、作業予定表示領域４１１には、作業予定とともに、保守員２５０の現在の状態が表示される。動態管理部３３３は、動態設定領域４１２を介して設定を受け付けた保守員２５０の動態に基づいて、現在の状態を表示する。
【００７５】
例えば、初期値として「作業前」が登録される。そして、入館が設定されると「入館中」が、退館が設定されると「終了」が、それぞれ、登録される。また、当該作業予定について、中止が設定されると、「終了」が登録される。これらの表示内容は、予め、各動態に対応づけて、記憶装置等に保持する。
【００７６】
［帰着予定設定画面］
次に、帰着予定設定画面４２０を説明する。帰着予定設定画面４２０は、保守員２５０から、帰着先および交通手段を受け付ける画面である。動態管理部３３３は、これらの情報を受け付け、保守員２５０の帰着予定時刻を算出する。なお、帰着予定設定画面４２０は、動態管理部３３３が作成し、保守員携帯端末２３０に送信する。本実施形態では、動態設定画面４１０において、最後の作業予定の退館ボタンが押下された際、送信される。
【００７７】
帰着予定設定画面４２０は、図４（ｂ）に示すように、帰着先設定領域４２１と、交通手段設定領域４２２と、を備える。帰着先設定領域４２１は、帰着先の設定を受け付ける領域である。また、交通手段設定領域４２２は、交通手段を受け付ける領域である。
【００７８】
帰着先は、通常は営業所３５１とする。しかし、自宅やその他の場所を登録することができるよう構成してもよい。営業所３５１や自宅については事前に住所情報を登録しておく。その他については、到着予定時刻の指定や、住所、地図から選択し、場所等の指定を行う。
【００７９】
動態管理部３３３は、これらの設定を用いて、帰着予定時刻を算出し、後述する安否確認時刻の１つとして用いる。
【００８０】
［動態データ］
ここで、各ボタンが押下されると、それに応じたデータ（動態データ）が保守員管理装置３３０に送信される。送信される動態データ４３０に含まれる情報例を図４（ｃ）に示す。
【００８１】
本図に示すように、動態データ４３０は、端末ＩＤ４３１と、保守員ＩＤ４３２と、動態４３３と、作業予定ＩＤ４３４と、現場ＩＤ４３５と、時刻４３６と、位置情報４３７と、帰着予定情報４３８と、を備える。
【００８２】
端末ＩＤ４３１は、自身の保守員携帯端末２３０を特定する情報である。保守員ＩＤ４３２は、当該保守員携帯端末２３０のユーザである保守員２５０を特定する情報である。本情報は、予め、保守員携帯端末２３０に登録される。
【００８３】
動態４３３は、動態設定画面４１０の動態設定領域４１２を介して設定された動態の情報である。
【００８４】
作業予定ＩＤ４３４および現場ＩＤ４３５は、設定された動態に対応づけられた作業予定の、それぞれ、作業予定ＩＤ５１２および現場ＩＤである。時刻４３６は、動態が設定された時刻の情報である。位置情報４３７は、動態が設定された時点の位置情報である。帰着予定情報４３８は、帰着予定設定画面４２０を介して設定された帰着予定に係る情報である。
【００８５】
［動態履歴ＤＢ］
次に、動態履歴ＤＢ３４３を説明する。動態履歴ＤＢ３４３は、動態データ４３０に基づいて作成される保守員２５０の動態を記録するデータベースである。動態管理部３３３は、動態データ４３０を受信し、動態に変化があった場合に、動態履歴ＤＢ３４３に新たなレコードを追加記録する。
【００８６】
動態履歴ＤＢ３４３の各レコードは、図５に示すように、保守員特定情報５３１と、動態５３２と、作業予定ＩＤ５３３と、現場特定情報５３４と、時刻５３５と、位置情報５３６と、を備える。
【００８７】
保守員特定情報５３１、作業予定ＩＤ５３３と、現場特定情報５３４とは、新たな動態の入力を受け付けた際、対応する作業予定情報の同名のものと同じである。動態データ４３０の、保守員ＩＤ４３２と、作業予定ＩＤ４３４と、現場ＩＤ４３５と、に基づいて、それぞれ作成される。
【００８８】
動態５３２は、動態データ４３０の動態４３３に基づいて作成される、保守員２５０の動態を示す情報である。
【００８９】
時刻５３５は、当該動態の設定を受け付けた時刻である。位置情報５３６は、当該動態の設定を受け付けた際の、保守員携帯端末２３０の位置情報である。それぞれ、動態データ４３０の時刻４３６および位置情報４３７に基づいて作成される。
【００９０】
［保守員状態データ］
次に、保守員状態管理部３３４が作成する保守員状態データ３４４について説明する。保守員状態データ３４４は、上述のように、保守員２５０の最新の状態を管理するデータである。保守員状態データ３４４は、保守員状態管理部３３４が、送受信部３３１および動態管理部３３３を介して動態データ４３０を受信する毎に、更新される。更新においては、作業予定ＤＢ３４２も参照する。ただし、終了／中止フラグ５１６が設定されているレコードは、無視する。
【００９１】
保守員状態データ３４４は、図６に示すように、保守員特定情報５４１と、現在状態５４２と、位置情報５４３と、安否状態５４４と、現在の現場名５４５と、次の現場名５４６と、安否確認時刻５４７と、設定延長回数５４８と、自動延長回数５４９と、を備える。
【００９２】
保守員特定情報５１１は、動態４３３として出発が登録された動態データ４３０を受信した際、保守員ＩＤ４３２について、新たに作成される。そして、保守員状態管理部３３４は、この、保守員ＩＤ４３２を含む動態データ４３０を受信する毎に、他の情報を更新する。
【００９３】
現在状態５４２、位置情報５４３および現在の現場名５４５は、それぞれ、動態４３３、位置情報４３７および現場ＩＤ４３５に基づいて登録される。
【００９４】
安否状態５４４は、保守員２５０の安否状態が登録される。本実施形態では、安否確認時刻５４７前であれば、正常が登録される。
【００９５】
次の現場名５４６には、現在の現場名５４５で特定される現場の、次の現場名が登録される。保守員状態管理部３３４は、作業予定ＤＢ３４２を参照して、本情報を登録する。なお、次の作業予定がない場合は、何も登録しない。
【００９６】
安否確認時刻５４７は、最新（直近）の安否確認時刻が登録される。最新の安否確認時刻は、現在状態５４２と、現在の現場名５４５と、次の現場名５４６と、作業予定ＤＢ３４２とを用いて決定される。
【００９７】
例えば、現在状態５４２が作業前であれば、次の現場名５４６に対応づけて登録される安否確認時刻情報５１５のうち、到着確認のための安否確認時刻が登録される。入館中であれば、現在の現場名５４５に対応づけて登録される安否確認時刻情報５１５のうち、終了確認のための安否確認時刻が登録される。また、現在状態５４２が終了であり、かつ、次の現場名５４６の登録がある場合、次の現場名５４６に対応づけて登録される安否確認時刻情報５１５のうち、到着確認のための安否確認時刻が登録される。一方、次の現場名５４６の登録がない場合は、何も登録されない。
【００９８】
さらに、安否確認時刻５４７は、保守員携帯端末２３０において延長が設定される毎に、予め定めた増分ΔＴｓだけ増加させた値に変更される。
【００９９】
設定延長回数５４８および自動延長回数５４９は、延長回数のカウンタである。保守員２５０の指示により、安否確認時刻５４７が延長された場合は、設定延長回数５４８カウンタを１増加させる。保守員状態管理部３３４が自動的に延長した場合は、自動延長回数５４９カウンタを、１増加させる。
【０１００】
［動態設定受付処理］
次に、保守員２５０が、保守員携帯端末２３０を用いて、設定する動態を受け付ける際の、動態設定受付処理の流れを、図７を用いて説明する。本処理は、保守員携帯端末２３０からの動態設定要求を受信することにより、開始される。
【０１０１】
動態管理部３３３は、動態設定要求を受信すると、要求元の保守員携帯端末２３０に動態設定画面データを送信する（ステップＳ１１０１）。そして、保守員２５０による入力、すなわち、動態データ４３０の受信を待つ（ステップＳ１１０２）。
【０１０２】
動態設定領域４１２を介して、退館以外のいずれかの動態（出発、帰着、入館、延長、中止のいずれか）が設定された動態データ４３０を受信すると（ステップＳ１１０３）、動態管理部３３３は、動態設定処理を終了する。
【０１０３】
一方、退館が設定された動態データ４３０を受信すると（ステップＳ１１０３）、動態管理部３３３は、次の作業予定があるか否かを確認する（ステップＳ１１０５）。ここでは、作業予定ＤＢ３４２を参照し、判別する。
【０１０４】
次の作業予定がある場合は、そのまま処理を終了する。一方、次の作業予定がない場合は、動態管理部３３３は、帰着情報入力画面データを、保守員携帯端末２３０に送信する（ステップＳ１１０６）。そして、保守員２５０による入力を待ち（ステップＳ１１０７）、得られた帰着予定情報４３８を用いて、帰着予定時刻を算出し（ステップＳ１１０８）、処理を終了する。
【０１０５】
なお、動態設定処理においては、各動態の設定時に合理性チェックを行うよう構成してもよい。ここで行う合理性チェックは、出発を設定した後でないと入館を設定できない、入館を設定した後でないと退館を設定できない等の設定順のチェックである。
【０１０６】
動態管理部３３３は、以上の処理により作成された動態データ４３０に基づき、保守員２５０の動態履歴データを蓄積する。また、動態４３３に退館または中止が設定されている場合、作業予定管理部３３２に通知する。
【０１０７】
作業予定管理部３３２は、動態管理部３３３から、退館または中止の通知を受け付けると、当該動態データ４３０に格納されている保守員ＩＤ４３２および現場ＩＤ４３５で特定される作業予定の、終了／中止フラグ５１６を設定する。
【０１０８】
［保守員情報管理処理］
次に、保守員状態管理部３３４による保守員状態管理処理の流れを、図８を用いて説明する。保守員状態管理部３３４は、保守員携帯端末２３０から動態データ４３０を受信する毎に、保守員状態データ３４４を作成または更新し、保守員状態を管理する。保守員状態データ３４４は、保守員２５０毎に、動態が更新される毎に更新される。このとき、動態データ４３０と、作業予定ＤＢ３４２とを用いて作成される。
【０１０９】
保守員状態データ３４４を作成または更新することにより、保守員状態管理部３３４は、安否確認時刻を最新の状態に保つ。ここでは、安否確認時刻の更新に主眼をおいて説明する。
【０１１０】
まず、動態４３３として出発が設定されている動態データ４３０を受信すると（ステップＳ１３０１）、動態データ４３０内の保守員ＩＤ４３２を、保守員特定情報５４１に有する保守員状態データ３４４を作成し、処理を終了する。
【０１１１】
作成においは、保守員状態管理部３３４次の現場名５４６に、作業予定ＤＢ３４２の１番目に登録されている作業予定の、現場特定情報５１３を登録する。また、安否確認時刻５４７には、当該作業予定の、安否確認時刻情報５１５のうちの、到着確認のための安否確認時刻を登録する（ステップＳ１３０２）。
【０１１２】
その他、保守員特定情報５４１には、動態データ４３０内の保守員ＩＤ４３２で特定される保守員の情報を登録する。現在状態には、出発から現場到着までの間であることを示す情報、例えば、移動中等を登録する。位置情報５４３には、動態データ４３０内の位置情報４３７を登録する。
【０１１３】
なお、保守員状態データ３４４作成時は、安否状態５４４、現在の現場名５４５、設定延長回数５４８、自動延長回数５４９には、何も登録しない。
【０１１４】
一方、動態４３３に入館が設定されている場合（ステップＳ１３０３）、既に作成されている保守員ＩＤ４３２を保守員特定情報５４１に有する保守員状態データ３４４を抽出して更新し、処理を終了する。
【０１１５】
更新においては、現在状態５４２を、入館した状態であることを示す情報、例えば、入館中等に更新する。位置情報５４３は、動態データ４３０の位置情報４３７に更新する。現在の現場名５４５には、現場ＩＤ４３５で特定される現場情報を登録する。
【０１１６】
また、作業予定ＤＢ３４２を参照し、次の現場名５４６には、作業予定ＩＤ４３４で特定されるレコードの次のレコードの、現場特定情報５１３を登録する。また、安否確認時刻５４７には、作業予定ＤＢ３４２の当該レコードの安否確認時刻情報５１５の、終了確認時刻を登録する(ステップＳ１３０４）。
【０１１７】
次に、動態４３３に退館が設定されている場合（ステップＳ１３０５）、既に作成されている保守員ＩＤ４３２を保守員特定情報５４１に有する保守員状態データ３４４を抽出して更新し、処理を終了する。
【０１１８】
更新においては、まず、動態データ４３０に帰着予定情報４３８が格納されているか否かを判別する（ステップＳ１３０６）。
【０１１９】
格納されていない場合、現在状態５４２を、移動中を意味する情報に更新し、位置情報５４３を、動態データ４３０の位置情報４３７に更新し、現在の現場名５４５を削除し、安否確認時刻５４７を更新し、処理を終了する。このとき、安否確認時刻５４７は、作業予定ＤＢ３４２において、現場特定情報５１３が次の現場名５４６であるレコードの到着確認時刻を設定する（ステップＳ１３０７）。
【０１２０】
一方、帰着予定情報４３８が格納されている場合、現在状態５４２を、移動中を意味する情報に更新し、位置情報５４３を、動態データ４３０の位置情報４３７に更新し、現在の現場名５４５および次の現場名５４６を削除し、安否確認時刻５４７を更新し、処理を終了する。このとき、安否確認時刻５４７には、動態管理部３３３が帰着予定情報４３８から算出した帰着予定時刻を登録する（ステップＳ１３０８）。
【０１２１】
次に、動態４３３に延長が設定されている場合（ステップＳ１３０９）、既に作成されている保守員ＩＤ４３２を保守員特定情報５４１に有する保守員状態データ３４４を抽出して、更新し、処理を終了する。
【０１２２】
更新においては、安否確認時刻５４７を延長する（ステップＳ１３１０）とともに、設定延長回数５４８を１増加させる（ステップＳ１３１１）。なお、このとき、安否確認時刻５４７は、現在値に予め定めた延長時間ΔＴｓだけ加えた値とする。その他の項目は、現状値とする。
【０１２３】
動態４３３に帰着が設定されている場合は（ステップＳ１３１２）、保守員ＩＤ４３２を保守員特定情報５４１に有する保守員状態データ３４４の内容を全てクリアし（ステップＳ１３１３）、処理を終了する。
【０１２４】
なお、動態４３３にその他の値が設定されている場合、すなわち、中止が設定されている場合は、何も処理を行わず、終了する。これは、保守員２５０の状態に変化はないためである。
【０１２５】
なお、いずれの場合も、安否確認時刻５４７を設定する場合、作業予定ＤＢ３４２に設定されている該当時刻に、所定の余裕値Ｎを加えた値としてもよい。
【０１２６】
［安否確認処理］
次に、本実施形態の安否確認部３３５による、安否確認延長処理を含む安否確認処理の流れを説明する。本実施形態の安否確認部３３５は、基本的には、保守員状態データ３４４の、安否確認時刻５４７を監視する。そして、当該時刻が到来しても、点検終了を意味する情報を受信しない場合、保守員２５０が保持する保守員携帯端末２３０に、安否確認連絡を行う。しかしながら、単に作業が長引いているだけの場合も多い。従って、本実施形態では、２回まで、自動的に安否確認時刻を延長する。
【０１２７】
まず、安否確認部３３５は、所定の時間間隔で、保守員状態データ３４４の、安否確認時刻５４７を参照し、当該時刻を経過したか否かを判別する（ステップＳ１４０１）。
【０１２８】
経過している場合、安否確認部３３５は、まず、保守員状態データ３４４の自動延長回数５４９を確認し、既に２回延長しているか否かを判別する（ステップＳ１４０２）。
【０１２９】
２回延長していなければ、安否確認部３３５は、エレベーター状態情報を取得する（ステップＳ１４０３）。ここで、エレベーター状態情報は、エレベーター制御装置２１２に直接アクセスして取得してもよいし、エレベーター状態管理部３１２から取得してもよい。
【０１３０】
エレベーター状態情報の取得に成功した場合（ステップＳ１４０４）、安否確認部３３５は、取得したエレベーター状態情報を用い、点検中であるか否かを判別する（ステップＳ１４０５）。ここでは、作業スイッチ２１６が投入されているか否かにより判別する。投入されている場合、点検中と判別する。
【０１３１】
点検中と判別された場合、安否確認部３３５は、自動延長を行う（ステップＳ１４０６）。ここでは、保守員状態データ３４４の、安否確認時刻５４７に、予め定めた延長期間ΔＴａを加え、再登録する。
【０１３２】
次に、安否確認部３３５は、安否確認時刻を延長した旨の連絡（自動延長連絡）を行う連絡先を決定する。まず、自動延長回数５４９の値を参照し、今までの延長回数を確認する（ステップＳ１４０７）。
【０１３３】
登録されている延長回数が０、すなわち、延長未実施の場合は、保守員２５０以外の予め定めた管理者に自動延長連絡を行う（ステップＳ１４０８）。ここでは、上述したように、監視センタ３０１または営業所３５１等にいる人員である。連絡は、例えば、定型メールを送信するなどの手段により行う。
【０１３４】
そして、自動延長回数５４９の値を１、増加させ（ステップＳ１４０９）、ステップＳ１４０１へ戻り、時刻の監視を続ける。
【０１３５】
一方、自動延長回数５４９の登録値が０でない場合、すなわち、１である場合は、まず、保守員２５０の作業位置が連絡可能な場所であるか否かを判別する（ステップＳ１４１０）。点検作業中に連絡可能でない場所とは、例えば、かご上またはピット内等である。本実施形態では、エレベーター状態情報を参照し、これらのスイッチのいずれかがＯＮであるか否かにより判別を行う。すなわち、いずれもＯＦＦであれば、作業位置は、連絡可能な場所であると判別する。
【０１３６】
連絡可能な場所と判別された場合、管理者と保守員２５０とに連絡し（ステップＳ１４１１）、ステップＳ１４０９へ移行する。
【０１３７】
一方、連絡可能な場所ではないと判別された場合、ステップＳ１４０８へ移行し、１回目同様、管理者にのみ連絡する。
【０１３８】
なお、ステップＳ１４０２で、既に２回延長済みと、判別された場合、ステップＳ１４０４で、エレベーター状態情報が取得できない場合、および、ステップＳ１４０５エレベーターが点検中である場合、管理者、保守員２５０本人に、安否確認の連絡を行う（ステップＳ１４１３）。
【０１３９】
そして、次に、現場の近隣に他の保守員がいるかを判別する（ステップＳ１４１４）。判別は、各保守員の保守員状態データ３４４の位置情報を用いて行う。すなわち、保守員２５０の位置情報で特定される位置を中心とし、予め定めた範囲の領域内の位置情報を有する保守員がいるか否かを判別する。なお、当該領域内の保守員を近隣保守員と呼ぶ。
【０１４０】
近隣保守員がいる場合、当該近隣保守員にも合わせて連絡し（ステップＳ１４１５）、自動延長回数５４９をクリアし（ステップＳ１４１６）、処理を終了する。一方、近隣保守員がいない場合は、そのままステップＳ１４１６へ移行し、処理を終了する。
【０１４１】
その後、安否確認部３３５は、所定期間中に、安否確認連絡に対する応答がない場合は、さらに、管理者等にアラームを出力してもよい。これにより、管理者は、対策を講じることができる。
【０１４２】
以上説明したように、本実施形態によれば、エレベーター２１０と、前記エレベーター２１０の点検を行う保守員２５０が携帯する保守員携帯端末２３０と、当該保守員２５０を管理する保守員管理装置３３０とを備えるエレベーター監視システム１００であって、前記保守員携帯端末２３０は、前記保守員２５０が設定した動態を前記保守員管理装置３３０に送信し、前記保守員管理装置３３０は、前記保守員携帯端末２３０から送信された動態により特定される前記保守員２５０の最新の状態に応じて、安否確認時刻を決定する保守員状態管理部３３４と、前記保守員２５０の安否確認処理を行う安否確認部３３５と、を備える。
【０１４３】
そして、前記安否確認部３３５は、前記安否確認時刻が到来しても、前記保守員２５０が前記エレベーター２１０を点検中である場合、自動的に前記安否確認時刻を延長し、初回および２回目の延長時は、管理者に前記安否確認時刻の延長の連絡である自動延長連絡を行い、２回目の延長時は、前記保守員２５０が連絡可能な作業位置で作業を行っている場合、さらに、前記保守員２５０にも前記自動延長連絡を行う。
【０１４４】
このように、本実施形態によれば、保守点検作業が長引いている場合、自動的に安否確認時刻が延長される。そして、保守員を管理する管理者に、延長した旨を連絡する。このため、管理者は、安否確認時刻が延長されたことを、確実に把握することができ、適正な安全管理を行うことができる。
【０１４５】
また、２回目の延長時は、保守員２５０の作業位置に応じて、保守員２５０にも連絡する。このため、保守員２５０が、端末操作が難しい作業位置、例えば、かご上やピット内等以外の場所にいる場合は、保守員２５０にも延長連絡がなされる。従って、保守員２５０は、自身の作業の進み具合が遅れていることを把握することができる。一方、端末操作が難しい作業位置にいる場合は、特に連絡を受けない。従って、作業が妨げられることが少ない。
【０１４６】
そして、２回延長しても、なお、点検終了の状態にならない場合は、管理者と、作業場所によらず保守員とに安否確認連絡を行う。また、近隣に他の保守員がいれば当該他の保守員にも連絡する。これにより、より確実に保守員の安否を確認することができる。
【０１４７】
このように、本実施形態によれば、自動的に延長され続けることがないため、保守員２５０の安否を適切に把握することができる。
【０１４８】
従って、本実施形態によれば、作業効率を低下させることなく、保守員の安全を適正に管理できる。
【０１４９】
また、保守員２５０の作業位置は、エレベーター２１０から送信されるエレベーター状態情報から自動的に判別する。従って、新たな構成を付加することなく、上記効果を得ることができる。
【０１５０】
なお、保守員２５０が自身で延長を設定する場合、すなわち、動態設定画面４１０を介して延長を設定する場合も、管理者に連絡するよう構成してもよい。例えば、保守員状態管理部３３４は、動態４３３に延長が設定されている動態データ４３０を受け取ると、安否確認部３３５にその旨通知する。安否確認部３３５では、通知を受け、保守員２５０が延長を設定したことを管理者に連絡する。
【０１５１】
このように構成することにより、自動延長の場合以外であっても、管理者は、確実に作業時間の延長、すなわち、安否確認時刻が延長されたことを把握できる。また、保守員２５０が、自ら連絡する必要がない。このため、より、保守員２５０の作業を妨げることなく、保守員の安全を適正に管理できる。
【符号の説明】
【０１５２】
１００：エレベーター監視システム、１０１：公衆回線網、１３１：ＣＰＵ、１３２：メモリ、１３３：記憶装置、１３４：通信Ｉ／Ｆ、１３５：入出力Ｉ／Ｆ、
２０１：現場、２１０：エレベーター、２１１：乗りかご、２１２：エレベーター制御装置、２１３：遠隔監視装置、２１４：ピットスイッチ、２１５：かご上スイッチ、２１６：作業スイッチ、２３０：保守員携帯端末、２３１：表示部、２３２：設定部、２３３：送受信部、２３４：位置情報取得部、２５０：保守員、
３００：監視センタサーバ、３０１：監視センタ、３１０：エレベーター状態監視装置、３１１：送受信部、３１２：エレベーター状態管理部、３３０：保守員管理装置、３３１：送受信部、３３２：作業予定管理部、３３３：動態管理部、３３４：保守員状態管理部、３３５：安否確認部、３４２：作業予定データベース、３４３：動態履歴データベース、３４４：保守員状態データ、３４５：その他のデータ、３５０：営業所ＰＣ、３５１：営業所、
４１０：動態設定画面、４１１：作業予定表示領域、４１２：動態設定領域、４２０：帰着予定設定画面、４２１：帰着先設定領域、４２２：交通手段設定領域、４３０：動態データ、４３１：端末ＩＤ、４３２：保守員ＩＤ、４３３：動態、４３４：作業予定ＩＤ、４３５：現場ＩＤ、４３６：時刻、４３７：位置情報、４３８：帰着予定情報、
５１１：保守員特定情報、５１２：作業予定特定情報、５１３：現場特定情報、５１４：作業時間特定情報、５１５：安否確認時刻情報、５１６：終了／中止フラグ、５３１：保守員特定情報、５３２：動態、５３３：作業予定ＩＤ、５３４：現場特定情報、５３５：時刻、５３６：位置情報、５４１：保守員特定情報、５４２：現在状態、５４３：位置情報、５４４：安否状態、５４５：現在の現場名、５４６：次の現場名、５４７：安否確認時刻、５４８：設定延長回数、５４９：自動延長回数
【図１】
2019055827.tif 000003
【図２】
2019055827.tif 000004
【図３】
2019055827.tif 000005
【図４】
2019055827.tif 000006
【図５】
2019055827.tif 000007
【図６】
2019055827.tif 000008
【図７】
2019055827.tif 000009
【図８】
2019055827.tif 000010
【図９】
2019055827.tif 000011